(57)【要約】【課題】表示部に表示した隣接する波形同士が混ざるため、測定した物理量の傾向を分析したり、最近の物理量を詳細に読み取ったりすることが同時に行えない。【解決手段】波形表示装置１０は、被測定対象物の物理量を測定する測定部４と、測定部４が測定した被測定対象物の物理量を、所定の測定時間毎に時系列データとして記憶する記憶部と、記憶部が記憶した時系列データを読み出して、時系列データのすべての測定時間に対する所定の測定時間毎の比率を演算する演算処理部と、所定の測定時間毎に測定した被測定対象物の物理量をグラフ表示する場合に、演算処理部が演算した所定の測定時間毎の比率に基づいて、所定の測定時間毎の表示幅を変えて表示する表示部２とを備えて、圧縮表示を行うようにした。【選択図】図１
2008128736.tif 000002
【特許請求の範囲】
【請求項１】
被測定対象物の物理量を測定する測定部と、
前記測定部が測定した被測定対象物の物理量を、所定の測定時間毎に時系列データとして記憶する記憶部と、
前記記憶部が記憶した時系列データを読み出して、前記時系列データのすべての測定時間に対する前記所定の測定時間毎の比率を演算する演算処理部と、
前記所定の測定時間毎に前記測定した被測定対象物の物理量をグラフ表示する場合に、前記演算処理部が演算した前記所定の測定時間毎の比率に基づいて、前記所定の測定時間毎の表示幅を変えて表示する表示部とを備えることを特徴とする
波形表示装置。
【請求項２】
請求項１記載の波形表示装置において、
前記演算処理部は、前記時系列データのすべての測定時間に対する前記所定の測定時間毎の比率を変更するパラメータにより、前記表示部に表示する前記所定の測定時間毎の表示幅を変えることを特徴とする
波形表示装置。
【請求項３】
請求項１記載の波形表示装置において、
前記測定する物理量は、時系列で変化する温度、湿度、電圧、電流のうち、少なくとも一つを含むことを特徴とする
波形表示装置。
【請求項４】
被測定対象物の物理量を測定し、
前記測定した被測定対象物の物理量を、所定の時間毎に時系列で時系列データとして記憶し、
前記記憶した時系列データを読み出して、前記時系列データのすべての測定時間に対する前記所定の測定時間毎の比率を演算し、
前記所定の測定時間毎に前記測定した被測定対象物の物理量をグラフ表示する場合に、前記演算した前記所定の測定時間毎の比率に基づいて、前記所定の測定時間毎の表示幅を変えて表示することを特徴とする
波形表示方法。
【発明の詳細な説明】
【技術分野】
【０００１】
本発明は、例えば温度センサを用いて被測定対象物の温度を測定し、測定した温度を長時間にわたって時系列で波形表示する場合に適用して好適な波形表示装置及び方法に関する。
【背景技術】
【０００２】
従来、時間とともに変動する物理量を測定し、測定した物理量を時系列で波形表示する波形表示装置が提供されていた。このような波形表示装置は、例えば、
・温度試験中の恒温槽内の温度の監視
・各種寿命試験の監視、例えばレーザ寿命試験のパワー監視
・蒸着装置の真空度、蒸発源への電力や蒸着物質の膜厚測定
等の測定結果を表示するために用いられていた。そして、波形表示装置は液晶ディスプレイパネル等で構成される表示部を備えており、測定した物理量を、例えば２次元の折れ線グラフで表示していた。
【０００３】
従来の波形表示装置が備える表示部では、測定した物理量が更新される毎に、実時間で表示内容を更新していた。そして、一定時間ごとに測定した物理量は、測定時間の間隔を等間隔にして波形が表示されていた。
【０００４】
ここで、従来の波形表示の例について、図１０〜図１２を参照して説明する。図１０〜図１２は、測定する物理量を温度として表示部に波形表示した例を示している。そして、図１０〜図１２には、１秒毎に測定した温度が表示部に時系列で表示されている。また、図１０〜図１２では、横軸に経過時間、縦軸に監視している物理量（例えば温度）の相対値を表示している。表示部に表示される時間幅は一定としてあり、５０秒毎の経過時間で目盛りを区切ってある。なお、表示部に表示される時間幅を一定とした場合、リニア表示と称する。
【０００５】
まず、測定開始（最初の０秒）〜３００秒まで測定した温度の表示例について、図１０を参照して説明する。測定開始とともに、測定した温度は、表示部に向かって左から右方向に波形表示される。図１０で、測定した温度の波形は、長い周期の波形の中に短い周期の波形が含まれていることが示される。このとき、表示部に表示可能なサンプル点数は、３００点としている。
【０００６】
従来の波形表示例では、測定開始（最初の０秒）から３００秒経過した後も測定した温度を表示し続ける。ここで、測定開始後３００秒〜６００秒まで経過した場合に測定した温度の波形表示例について、図１１を参照して説明する。
【０００７】
図１０で測定した温度は、図１１に示すように引き継がれて表示される。測定した温度をそのまま表示部に表示するように実時間で更新する場合、所定時間（例えば１秒）ごとに表示範囲の最も右側に最新のデータが追加表示される。そして、実時間が経過するにつれて、過去の経過時間が左側に移動するとともに、表示されている波形も表示範囲の左側に移動する。図１１においても、表示部に表示可能なサンプル点数は、３００点としている。
【０００８】
ここで、測定開始（最初の０秒）〜６００秒まで測定した温度を表示部の表示範囲内にすべて表示することを試みる。図１２は、測定開始（最初の０秒）〜６００秒まで測定した温度を時系列で表示部に表示している。そして、図１２においても、時系列で測定した温度をリニア表示している。このとき、表示部に表示可能なサンプル点数は、６００点としている。
【０００９】
特許文献１には、波形データを表示部に表示する波形表示装置について開示されている。
【特許文献１】特開２００５−３００４０８号公報
【発明の開示】
【発明が解決しようとする課題】
【００１０】
ところで、図１１では、測定開始（最初の０秒）〜３００秒の時系列データは、表示範囲から外れてしまい、使用者は視認できなくなる。このように、表示部に表示可能なサンプル点数が固定されていると過去に表示した波形が表示されなくなってしまう。過去に測定した物理量の傾向を読み取るためには、過去のデータに遡って記憶した物理量を読み出して表示させなければならず手間がかかっていた。
【００１１】
また、図１２では、図１０と図１１と同じ表示部を用いているため、波形の表示範囲は変わらない。このため、表示部に表示可能なサンプル点数を６００点とした場合に、測定した物理量（温度）のすべてを波形表示するためには、時間幅を、図１０と図１１（サンプル点数３００点）の表示例に対して少なくとも半分以下にする必要がある。図１２のように、時間幅を狭めて全体（例えば、サンプル点数６００点以上の場合）を表示しようとしても、表示部の解像度によっては表示した波形の詳細部分がつぶれてしまう。この結果、長時間測定した物理量の傾向を分析したり、最近の物理量を詳細に読み取ろうとしたりしても、隣接する波形同士が鮮明に表示されないため詳細な物理量を読み取ることができなかった。
【００１２】
本発明はこのような状況に鑑みて成されたものであり、測定した物理量の経過時間に応じて、波形の時間幅を変えて物理量を表示することを目的とする。
【課題を解決するための手段】
【００１３】
本発明は、被測定対象物の物理量を測定し、測定した被測定対象物の物理量を、所定の時間毎に時系列で時系列データとして記憶し、記憶した時系列データを読み出して、時系列データのすべての測定時間に対する所定の測定時間毎の比率を演算し、所定の測定時間毎に測定した被測定対象物の物理量をグラフ表示する場合に、演算した所定の測定時間毎の比率に基づいて、所定の測定時間毎の表示幅を変えて表示するようにしている。
【００１４】
このようにしたことで、被測定対象物の物理量を測定した経過時間に応じて、所定の測定時間毎の表示幅を変えて時系列データをグラフ表示することが可能となった。
【発明の効果】
【００１５】
本発明によれば、被測定対象物の物理量を測定した経過時間に応じて、測定時間の表示幅を変えて時系列データを表示する。このため、経過時間の長い過去の物理量は時間幅を狭めて、経過時間の短い最近の物理量は時間幅を広げて、測定時間毎に表示幅を変えて、時系列データを表示することができる。この結果、過去に測定した物理量は傾向を視認しやすくなるとともに、最近測定した物理量は詳細な変化を視認しやすくなるという効果がある。
【発明を実施するための最良の形態】
【００１６】
以下、本発明の一実施の形態例について、図１〜図９を参照して説明する。以下、所定の測定時間毎に被測定対象物の物理量を測定し、測定した物理量を時系列で波形表示する波形表示装置１０に適用した例について説明する。波形表示装置１０を用いて測定する物理量は、時系列で変化する温度、湿度、電圧、電流のうち、少なくとも一つを含むものである。本例において、測定する物理量は被測定対象物の温度であるとする。
【００１７】
まず、本例の波形表示装置１０の外部構成例について、図１を参照して説明する。波形表示装置１０は、温度センサ等を内蔵した測定部４を被測定対象物に近接することで、被測定物の物理量（温度）を測定することができる。測定部４は測定した物理量（温度）を、波形表示を行うための演算処理を施す演算部１に供給する。演算部１は、測定部４から供給された温度を所定の測定時間毎に時系列で記憶する。また、演算部１は、測定した経過時間に応じて、過去の時間幅は狭め、最近の時間幅は広く表示するように、時間幅を調整する演算処理を行う。液晶パネルで構成された表示部２には、演算部１で演算された所定の測定時間毎の比率に基づいて、測定した被測定対象物の物理量が２次元の折れ線グラフとして波形表示される。このとき、表示部２では、所定の測定時間毎の表示幅を変えて表示する。以下の説明では、測定した物理量の経過時間に応じて、所定の測定時間毎の表示幅を変えて表示部２に波形表示する場合、圧縮表示と称する。そして、使用者は、演算部１に接続されたキーボード等で構成される操作部３により入力操作等を行う。演算部１で行う演算処理のためのパラメータ設定、表示部２の表示内容の更新等は、操作部１によって行われる。
【００１８】
次に、本例の波形表示装置１０の内部構成例について、図２を参照して説明する。測定部４が被測定対象物を測定した物理量（本例では温度）は、測定部４のデジタルインタフェース規格に適合した入力部７を介して、演算部１に供給される。演算部１は、基準時間を供給する時計部９を備えており、供給された物理量に所定の測定時間を付与する。また、演算部１は、データを一時記憶するＲＡＭ（Random Access Memory）等を備えている。演算部１で測定時間が付与された被測定対象物の物理量は、所定の測定時間毎に時系列データとして記憶部６に記憶される。演算部１が備えている圧縮表示の演算処理を行う演算処理部８は、記憶部６に記憶した時系列データを読み出して、時系列データのすべての測定時間に対する所定の測定時間毎の比率を演算する。演算処理部８が行う圧縮表示するための比率の演算処理例については後述する。演算処理部８で演算処理を行った後、演算した時系列データ毎の所定の測定時間の比率に基づいて、測定時間毎に表示幅を変えて、時系列データを表示部２に圧縮表示する。
【００１９】
次に、演算処理部８の圧縮表示の演算処理例について、以下に説明する。
【００２０】
まず、表示したい時系列データｖｔを、以下のように定義する。本例では、時間の経過に伴い物理量が変化するようなデータを、時系列データｖｔと称している。
【００２１】
【数１】
2008128736.tif 000003
【００２２】
時系列データｖｔは、ある時間間隔ｔ０でＴが一つ増えて、更新される値である。このような時系列データｖｔを２次元の折れ線グラフ{ｘｎ，ｙｎ}に描画することを考える。まず、測定した物理量を２次元の折れ線グラフで表示部２の表示領域に表示するため、表示領域の横軸の長さを１とする。そして、
【００２３】
【数２】
2008128736.tif 000004
【００２４】
の代わりに、
【００２５】
【数３】
2008128736.tif 000005
【００２６】
の点列を描画する。このｆ（ｔ）を圧縮関数と称する。このとき、式（１）〜式（４）の条件の下で、ｆ（ｔ）を用いて横軸（時間幅）を決定する。
【００２７】
【数４】
2008128736.tif 000006
【００２８】
さらに、圧縮関数ｆ（ｔ）として式（５）を用いる。
【００２９】
【数５】
2008128736.tif 000007
【００３０】
Ｌは、最近測定した物理量の表示幅を指定するパラメータである。そして、ｔ０は、式（６）の解である。
【００３１】
【数６】
2008128736.tif 000008
【００３２】
式（５）は、式（４）を満足する関数になっている。
【００３３】
ところで、一般的には、被測定物の過去の状態を示す情報は必要であるが、重要性が高いのは最近の状態を示す情報である。このため、図１２で示すように、過去と最近の状態を示す情報を同じ時間幅で表示すると、必要とされる最近の物理量が読み取れなくなってしまう可能性が生じる。
【００３４】
ここで、表示部２に表示される時系列データｖｔは、常に最新の表示密度が変化せず、圧縮された表示幅は０にならず、自然に圧縮表示されることが望ましい。これは、表示の横軸の区間を(０,１)としたとき、上述の圧縮関数ｆ（ｔ）が、式（１）〜式（４）を満たせばよいと考えられる。
【００３５】
【数４】
2008128736.tif 000009
【００３６】
式（２）と式（３）は、過去の測定開始時点を表示部２の左端に表示し、現在の測定時点を表示部２の右端に表示することを表している。また、式（３）の微係数によって、波形はなめらかにつながって圧縮表示される。式（４）は、最新の時間間隔における表示幅の密度が変わらないことを表している。つまり、Ｔが増えても最新の点と一つ過去の点の間隔は変わらない。また、式（４）は、式（７）を表している。
【００３７】
【数７】
2008128736.tif 000010
【００３８】
式（７）は、時系列データｖｔが過去に測定された物理量であるほど、表示部２に表示される時間間隔が狭く表示されることを表している。さらに、式（２）〜式（４）を満たす具体的な圧縮関数ｆ（ｔ）として、式（５）を用いることとする。
【００３９】
【数５】
2008128736.tif 000011
【００４０】
Ｌは最近測定した時系列データｖｔの表示幅を指定するパラメータである。パラメータの値を事前に設定することによって、演算処理部８は、時系列データのすべての測定時間に対する所定の測定時間毎の比率を変更するパラメータにより、表示部２に表示する所定の測定時間毎の表示幅を変えることができる。Ｌは、式（３）に示したｋを、式（８）のように書き換えたパラメータである。
【００４１】
【数８】
2008128736.tif 000012
【００４２】
また、ｔ０はＬとＴを与えれば定まる定数であり、式（９）の解である。
【００４３】
【数９】
2008128736.tif 000013
【００４４】
式（９）の解は代数的に求まらないが、数値的に決定可能である。
【００４５】
以下の説明では、式（９）の関数を使って、表示部２に波形表示した際の圧縮表示例について、図３〜図７を参照して説明する。図３〜図７は、従来のリニア表示と本例の圧縮表示とを比較した図である。縦軸には、被測定対象物の測定した物理量、横軸には、経過時間（サンプル点数）を示している。ここで、時系列データｖｔは、長短２周期の正弦波と正規分布関数の和としてある。また、パラメータ：Ｌ＝４０としている。
【００４６】
時系列データｖｔの表示例について、図３を参照して説明する。図３では、サンプル点数Ｔとして最初の５０点をとり、時系列データｖｔのリニア表示と圧縮表示とを比較している。図３（ａ）は、リニア表示の例である。図３（ｂ）は、圧縮表示の例である。図３（ａ）と図３（ｂ）の縦グリッドはｔ＝１０ごとに引いてある。
【００４７】
図３では、サンプル点数が少ない（測定時間が短時間）ため、リニア表示と圧縮表示とで表示上の差異はほとんどない。
【００４８】
次に、サンプル点数としてＴ＝１００をとる。Ｔ＝１００での時系列データｖｔの表示例について、図４を参照して説明する。図４では、サンプル点数Ｔとして１００点をとり、時系列データｖｔのリニア表示と圧縮表示とを比較している。図４（ａ）は、リニア表示の例である。図４（ｂ）は、圧縮表示の例である。図４（ａ）と図４（ｂ）の縦グリッドはｔ＝１０ごとに引いてある。
【００４９】
図３（ａ）に比べて、図４（ａ）では、リニア表示の縦グリッド線の間隔がさらに均等に狭まっていることが分かる。一方、図４（ｂ）では、圧縮表示の縦グリッド線の間隔として、右側が広く（例えば、９０〜１００）、左側が狭まっている（例えば、０〜１０）ことが分かる。
【００５０】
次に、サンプル点数としてＴ＝２００をとる。Ｔ＝２００での時系列データｖｔの表示例について、図５を参照して説明する。図５では、サンプル点数Ｔとして２００点をとり、時系列データｖｔのリニア表示と圧縮表示とを比較している。図５（ａ）は、リニア表示の例である。図５（ｂ）は、圧縮表示の例である。
【００５１】
図４（ａ）に比べて、図５（ａ）では、リニア表示の縦グリッド線の間隔がさらに均等に狭まっていることが分かる。一方、図５（ｂ）では、圧縮表示の縦グリッド線の間隔として、右側が広く（例えば、１５０〜２００）、左側が狭まっている（例えば、０〜５０）ことが分かる。ただし、右側の縦グリッド線の間隔は、Ｔ＝５０の場合（図３（ｂ）参照）の間隔と比べて狭まっていない。
【００５２】
次に、サンプル点数としてＴ＝５００をとる。Ｔ＝５００での時系列データｖｔの表示例について、図６を参照して説明する。図６では、サンプル点数Ｔとして５００点をとり、時系列データｖｔのリニア表示と圧縮表示とを比較している。図６（ａ）は、リニア表示の例である。図６（ｂ）は、圧縮表示の例である。
【００５３】
図５（ａ）に比べて、図６（ａ）では、リニア表示の縦グリッド線の間隔がさらに均等に狭まっていることが分かる。一方、図６（ｂ）では、圧縮表示の縦グリッド線の間隔として、右側が広く（例えば、２５０〜５００）、左側が狭まっている（例えば、０〜２５０）ことが分かる。ただし、右側の縦グリッド線の間隔は、Ｔ＝５０の場合（図３（ｂ）参照）の間隔と比べて狭まっていない。
【００５４】
次に、サンプル点数としてＴ＝１０００をとる。Ｔ＝１０００での時系列データｖｔの表示例について、図７を参照して説明する。図７では、サンプル点数Ｔとして１０００点をとり、時系列データｖｔのリニア表示と圧縮表示とを比較している。図７（ａ）は、リニア表示の例である。図７（ｂ）は、圧縮表示の例である。
【００５５】
図６（ａ）に比べて、図７（ａ）では、リニア表示の縦グリッド線の間隔がさらに均等に狭まっていることが分かる。このとき、過去から現在にかけての測定時点で測定された時系列データｖｔは全体的につぶれてしまい、最近で測定した物理量をすぐに読み取ることはできない。一方、図７（ｂ）では、圧縮表示の縦グリッド線の間隔として、右側が広く、左側が狭まっていることが分かる。ただし、右側の縦グリッド線の間隔は、Ｔ＝５０の場合（図３（ｂ）参照）の間隔と比べて狭まっていない。このため、過去の測定時点で測定された時系列データｖｔは全体の傾向を示しているが、最近で測定した物理量は詳細に表示されているため、測定した物理量を表示部２の表示範囲だけで一括して読み取ることが可能である。
【００５６】
図３〜図７を参照して示されるように、リニア表示では全体の傾向しか分からなくなっているが、圧縮表示では最近の部分の詳細は、一番右端のグリッドの位置を比較してＴ＝５０の場合（図３参照）とそれほど変わらないことが分かる。
【００５７】
また、図３〜図７までの右端部をすべて比較してみるといずれもサンプル点数Ｔが、５０〜１０００とかなり違うにもかかわらず、ほぼ同じ時間幅で表示されることが分かる。このことは、物理量の測定中に、使用者が任意の時点で表示部２を視認しても、最も新しく測定された時系列データｖｔの周期や、変化の速さは、過去の測定されたデータと同じスケールで比較することができることを意味する。このため、圧縮表示を視認する使用者の直感を混乱させることがなくなると言える。
【００５８】
次に、図７に示したサンプル点数ＴとしてＴ＝１０００とした場合において、パラメータ：Ｌを変更した場合の圧縮表示例について、図８と図９を参照して説明する。Ｌは、使用者が注目しようとする最近の時間幅を調整するパラメータである。ここで、演算処理部８は、所定の測定時間の比率を変更するパラメータ：Ｌにより、時系列データ毎に測定時間の表示幅を変えて、時系列データを表示部２に表示させる処理を行う。なお、図３〜図７では、Ｌ＝４０とした場合について説明した。
【００５９】
まず、Ｌ＝８０とした場合の圧縮表示例について、図８を参照して説明する。Ｌ＝８０とすると、Ｌ＝４０の場合に対して、Ｌは２倍の値となる。このとき、図７の圧縮表示例と比べて、右端部の縦グリッドの間隔（時間幅）が狭まることが分かる。
【００６０】
そして、Ｌ＝１２０とした場合の圧縮表示例について、図９を参照して説明する。Ｌ＝１２０とすると、Ｌ＝４０の場合に対して、Ｌは３倍の値となる。このとき、図８の圧縮表示例と比べて、右端部の縦グリッドの間隔（時間間隔）がさらに狭まることが分かる。
【００６１】
このように、表示部２に表示される全ポイント数を同じとした場合、パラメータ：Ｌの値を調整することで、最近の測定データの縦グリッドの間隔を変えることができる。つまり、パラメータ：Ｌを大きくすると最近の縦グリッドの間隔は密になる。このため、均一に表示される時間幅は増えていき、過去の時間幅は広がる。Ｌを小さくすると最近の縦グリッドの間隔は疎になる。このため、均一に表示される時間幅は減っていき、過去に測定した物理量の時間幅は狭まる。また、所定時間が経過した後に測定した物理量を表示しないことで、ある一定期間内における圧縮表示を行うことも可能である。
【００６２】
以上説明した本実施の形態例では、時系列データｖｔを実時間で表示部２に圧縮表示することが可能となる。このとき、被測定対象物の物理量を測定した経過時間に応じて、所定の測定時間毎の表示幅を変えて表示する。このため、経過時間の長い過去の物理量は時間幅を狭めて、経過時間の短い最近の物理量は時間幅を広げて、測定時間毎に表示幅を変えて、所定の測定時間毎に測定した被測定対象物の物理量（時系列データ）をグラフ表示できる。この結果、過去に測定した物理量の傾向を視認しやすくなるとともに、最近測定した物理量の詳細な変化を視認しやすくなるという効果がある。また、長時間にわたる測定であっても必要な物理量を把握することが容易になるという効果がある。
【００６３】
また、演算処理部８は、時系列データのすべての測定時間に対する所定の測定時間毎の比率を変更するパラメータにより、表示部２に表示する所定の測定時間毎の表示幅を変えて、時系列データグラフ表示できる。この結果、最近測定した物理量を詳細に視認する際には、パラメータ：Ｌを大きくすることで圧縮表示された波形の最近の時間幅が広がるとともに、過去の時間幅が狭まる。一方、過去に測定した物理量の傾向を視認する際には、パラメータ：Ｌを小さくすることで圧縮表示された波形の時間幅が狭まるとともに、過去の時間幅が広がる。このように、使用する用途に応じて使用者はパラメータ：Ｌを代えるだけで容易に圧縮表示された波形の時間幅を変更し、一層視認しやすくなるという効果がある。
【００６４】
また、本例の波形表示装置１０では、過去に測定した物理量を連動させて、最近測定した物理量を波形表示することができる。このため、過去から最近にかけて表示部２の表示範囲に描画する波形をなめらかにつなげることができる。また、圧縮表示された波形の時間幅は０になることがない。このため、圧縮表示された波形に違和感が生じない。つまり、表示範囲の途中で急に圧縮率を変化させたり、表示範囲の途中まではリニア表示させたりするわけではない。このため、例えば周期的に変化するような波形を表示させる場合、圧縮表示すると周期自体が変化する。しかし、波形は自然に変化するため、測定途中に波形が乱れた場合、使用者は波形の乱れにすぐ気づくことができる。このように、使用者にとって長時間にわたる物理量の測定であっても、過去に測定した物理量の異常を速やかに把握することができるという効果がある。
【００６５】
なお、測定する物理量は、時系列であればよく、温度、湿度、電圧、電流以外の物理量を測定してもよい。また、別の測定装置で測定した物理量の時系列データをフラッシュメモリ等の記憶媒体に記憶し、この記憶媒体から読み出した物理量について圧縮表示するようにしてもよい。また、上述した実施の形態例では、２次元表示した場合について説明したが、測定した物理量を多次元表示する場合にも好適に適用可能である。また、過去の測定データや、シミュレーションデータ等をプログラム上で演算し、波形を圧縮表示するようにしてもよい。
【図面の簡単な説明】
【００６６】
【図１】本発明の一実施形態例に係る波形表示装置の例を示した外部構成図である。
【図２】本発明の一実施形態例に係る波形表示装置の例を示した内部構成図である。
【図３】本発明の一実施形態例に係る最初の５０点のリニア表示と圧縮表示を比較した例を示した説明図である。
【図４】本発明の一実施形態例に係る１００点のリニア表示と圧縮表示を比較した例を示した説明図である。
【図５】本発明の一実施形態例に係る２００点のリニア表示と圧縮表示を比較した例を示した説明図である。
【図６】本発明の一実施形態例に係る５００点のリニア表示と圧縮表示を比較した例を示した説明図である。
【図７】本発明の一実施形態例に係る１０００点のリニア表示と圧縮表示を比較した例を示した説明図である。
【図８】本発明の一実施形態例に係るＬ＝８０の場合における圧縮表示の例を示した説明図である。
【図９】本発明の一実施形態例に係るＬ＝１２０の場合における圧縮表示の例を示した説明図である。
【図１０】従来の測定データの表示例を示した説明図である。
【図１１】従来の測定データの表示例を示した説明図である。
【図１２】従来の測定データの表示例を示した説明図である。
【符号の説明】
【００６７】
１…演算部、２…表示部、３…操作部、４…測定部、６…記憶部、７…入力部、８…演算処理部、９…時計部、１０…波形表示装置
【図１】
2008128736.tif 000014
【図２】
2008128736.tif 000015
【図３】
2008128736.tif 000016
【図４】
2008128736.tif 000017
【図５】
2008128736.tif 000018
【図６】
2008128736.tif 000019
【図７】
2008128736.tif 000020
【図８】
2008128736.tif 000021
【図９】
2008128736.tif 000022
【図１０】
2008128736.tif 000023
【図１１】
2008128736.tif 000024
【図１２】
2008128736.tif 000025